(57)【要約】【課題】薄い樹脂基板を用いて、両面に異なる形状の配線パターンを設ける場合であっても、反りを小さくすることができ、薄型、小型、高信頼性の半導体装置を実現できる樹脂配線基板を提供する。【解決手段】平板状の樹脂基材１２と、樹脂基材１２の一方の面に設けた半導体素子搭載領域３０および半導体素子搭載領域３０の内側またはその周囲に配置した素子接続端子１４と、この素子接続端子１４と電気的に接続して樹脂基材１２の他方の面に配置した外部接続端子１６と、一方の面上において素子接続端子１４を露出する形状に形成した第１の樹脂膜２６と、他方の面において外部接続端子１６を露出する形状に形成した第２の樹脂膜２８とを備え、第１の樹脂膜２６と第２の樹脂膜２８とはガラス転移点、硬化収縮率および熱膨張係数の少なくともいずれかが異なる。【選択図】図１
2008085089.tif 000002
【特許請求の範囲】
【請求項１】
平板状の樹脂基材と、前記樹脂基材の一方の面に設けた半導体素子搭載領域および前記半導体素子搭載領域の内側またはその周囲に配置した素子接続端子と、前記素子接続端子と電気的に接続して前記樹脂基材の他方の面上に配置した外部接続端子と、前記樹脂基材の一方の面を覆って、かつ前記素子接続端子および前記半導体素子搭載領域が露出する形状に形成した第１の樹脂膜と、前記樹脂基材の他方の面を覆って、かつ前記外部接続端子が露出する形状に形成した第２の樹脂膜とを備え、前記第１の樹脂膜と前記第２の樹脂膜とが、ガラス転移点、硬化収縮率または熱膨張係数の少なくとも１つが異なることを特徴とする樹脂配線基板。
【請求項２】
前記外部接続端子は前記樹脂基材の他方の面にアレイ状に配置していることを特徴とする請求項１に記載の樹脂配線基板。
【請求項３】
前記第１の樹脂膜のガラス転移点が前記第２の樹脂膜のガラス転移点より高いことを特徴とする請求項１または請求項２に記載の樹脂配線基板。
【請求項４】
前記第１の樹脂膜の硬化収縮率が前記第２の樹脂膜の硬化収縮率より大きいことを特徴とする請求項１から請求項３の何れか１項に記載の樹脂配線基板。
【請求項５】
前記第１の樹脂膜の熱膨張係数が前記第２の樹脂膜の熱膨張係数より大きいことを特徴とする請求項１から請求項４の何れか１項に記載の樹脂配線基板。
【請求項６】
前記第１の樹脂膜に含むフィラーと前記第２の樹脂膜に含むフィラーとが無機粒子からなり、前記第１の樹脂膜に含む前記フィラー量が前記第２の樹脂膜に含む前記フィラー量より少ないことを特徴とする請求項１から請求項５の何れか１項に記載の樹脂配線基板。
【請求項７】
前記第１の樹脂膜に含むフィラーと前記第２の樹脂膜に含むフィラーとが材質の異なる無機粒子からなることを特徴とする請求項６に記載の樹脂配線基板。
【請求項８】
前記第１の樹脂膜と前記第２の樹脂膜中の樹脂成分が、エポキシ樹脂またはポリイミド樹脂の何れかであることを特徴とする請求項６または請求項７に記載の樹脂配線基板。
【請求項９】
前記樹脂基材は、ガラスエポキシ樹脂、エポキシ樹脂、ビスマレイミド−トリアジン樹脂（ＢＴ樹脂）、アクリルブタジェンスチレン樹脂（ＡＢＳ樹脂）、ポリイミド樹脂、ポリアミド樹脂またはアクリル樹脂から選択された１種類からなることを特徴とする請求項１から請求項８の何れか１項に記載の樹脂配線基板。
【請求項１０】
請求項１から請求項９の何れか１項に記載の樹脂配線基板と、前記樹脂配線基板の前記半導体素子搭載領域に搭載した半導体素子とを有することを特徴とする半導体装置。
【請求項１１】
請求項１から請求項９の何れか１項に記載の樹脂配線基板からなる第１の樹脂配線基板と第２の樹脂配線基板とを備え、前記第１の樹脂配線基板は一方の表面の前記半導体素子搭載領域の外周領域に前記第２の樹脂配線基板と接続するための積層用接続端子を有し、前記積層用接続端子が前記第１の樹脂膜から露出し、前記第２の樹脂配線基板は前記外部接続端子を前記第１の樹脂配線基板の前記積層用接続端子に対応する位置に設けてなり、前記第１の樹脂配線基板および前記第２の樹脂配線基板のそれぞれの前記半導体素子搭載領域に半導体素子を搭載し、前記第１の樹脂配線基板の前記積層用接続端子と前記第２の樹脂配線基板の前記外部接続端子とを積層用突起電極を介して接続したことを特徴とする半導体装置。
【請求項１２】
前記第１の樹脂配線基板は前記外部接続端子を前記樹脂基材の他方の面にアレイ状に配置していることを特徴とする請求項１１に記載の半導体装置。
【発明の詳細な説明】
【背景技術】
【０００１】
従来から半導体装置に要求される事項として、小型化、薄型化があり、さらに低コスト化が要求されている。このため、ＢＧＡ（Ｂａｌｌ  Ｇｒｉｄ  Ａｒｒａｙ）構成やＣＳＰ（Ｃｈｉｐ  Ｓｉｚｅ  Ｐａｃｋａｇｅ）構成では、半導体素子を搭載する基板として樹脂配線基板が用いられるようになっている。
【０００２】
このような樹脂配線基板は通常その両面に配線パターンが設けられている。樹脂配線基板の一方の面には半導体素子を実装する半導体素子搭載領域と、配線パターンに接続した素子接続端子とが設けられており、素子接続端子は半導体素子搭載領域の内側領域あるいは半導体素子搭載領域の外周領域に配置している。樹脂配線基板の他方の面には外部接続端子が設けられている。
【０００３】
樹脂配線基板の一方の面上にはソルダーレジスト層が形成されており、素子接続端子がソルダーレジスト層から露出している。樹脂配線基板の他方の面上にも同様に、ソルダーレジスト層が形成されており、外部接続端子がソルダーレジスト層から露出している。素子接続端子と外部接続端子は、樹脂配線基板の内部に形成する内層導体や貫通導体等により互いに接続されている。
【０００４】
ところで、半導体装置に求められる小型化、薄型化の要望を充たすために、上述した樹脂配線基板には、その厚みが約０．２ｍｍ以下の非常に薄い基板が使用されるようになってきている。このため、半導体素子を実装したときに樹脂配線基板に大きな反りが生じやすい。この樹脂配線基板の反りは接続不良の原因となり、樹脂配線基板に実装された半導体素子にさらに半導体素子を積層する場合や、樹脂配線基板に半導体素子を実装した半導体装置をマザーボード等へ実装する場合に、接続不良の発生を招き易くなる。
【０００５】
一方、薄型の基板を用いたＢＧＡ構成の半導体装置においては、平坦性を改善するための構成が、例えば特許文献１において提案されている。これは、以下のような構成からなる。すなわち、配線基板は所要の配線パターンを形成するとともに、基板の厚み方向に貫通して半導体素子収納孔を形成してなる。この配線基板の実装面と相反する反対側の裏面にはヒートシンクを接着層により固定しており、ヒートシンクは半導体素子収納孔の開口部を覆っている。
【０００６】
配線基板には実装面を覆ってソルダーレジスト層を形成しており、配線パターンの外部接続端子を形成する端子部がソルダーレジスト層から露出している。ソルダーレジスト層は感光性レジストを用いて形成しており、その熱膨張係数が配線基板のものより大きいものである。このソルダーレジスト層を覆って樹脂層を形成しており、樹脂層はソルダーレジスト層よりも熱膨張係数の小さな樹脂からなる。
【０００７】
このように、ソルダーレジスト層の熱膨張係数を配線基板のものよりも大きく設定し、樹脂層の熱膨張係数をソルダーレジスト層のものよりも小さく設定することにより、ソルダーレジスト層の熱収縮を抑制できる。この結果、配線基板の反りを解消でき、平坦性に優れた半導体装置を実現できる。
【０００８】
しかし、ソルダーレジスト層は熱によってクラックや剥離が生じることがある。例えば、表面層としてソルダーレジスト層を形成したプリント配線基板の上に、発熱を生じやすい半導体装置等を搭載する場合には、半導体装置の発熱あるいはハンダバンプ形成時の加熱に起因してソルダーレジスト層に大きな応力が発生し、場合によってはソルダーレジスト層にクラックや剥離が生じる。
【０００９】
このようなクラックや剥離を防止するために、例えば特許文献２には、無機フィラーを含有したソルダーレジスト層を用いることが示されている。すなわち、プリント配線板に無機フィラーを含有したソルダーレジスト層を形成してソルダーレジスト層の熱膨張率を低下させ、ソルダーレジスト層の周囲に存在する層間樹脂絶縁層等とソルダーレジスト層との熱膨張係数の差を小さくする。
【００１０】
この結果、プリント配線板の製造工程やプリント配線板に半導体素子等の電子部品を搭載した後においてソルダーレジスト層にクラックや剥離が発生することを防止できる。この特許文献２においては、同材質のソルダーレジスト層をプリント配線板の実装面および裏面の両面に形成することも示されている。
【００１１】
さらに、絶縁層としてソルダーレジストのような感光性の樹脂で絶縁性樹脂層を形成し、この絶縁層にビアホールを形成する場合には、ビアホール形成後に絶縁性樹脂層を完全に乾燥させる際に反りが大きくなる。
【００１２】
このため、例えば特許文献３には、基板の反りの発生を抑制する方法として、ビアホールを形成する前に、プリント配線板の両面のソルダーレジスト層、すなわち絶縁性樹脂層を完全に乾燥および硬化させておくことが開示されており、プリント配線板の両面において乾燥時のレジスト層の面積を同一にすることで、基板両面の収縮挙動を等しくして反りを小さくする。
【特許文献１】特開２０００−２１６３０４号公報
【特許文献２】特開２００１−５３４４８号公報
【特許文献３】特開平１１−２６１９０号公報
【発明の開示】
【発明が解決しようとする課題】
【００１３】
特許文献１は、第１の樹脂層をなす感光性ソルダーレジスト層を配線基板の片面上にのみに形成し、熱膨張係数が感光性ソルダーレジスト層よりも小さい第２の樹脂層を感光性ソルダーレジスト層の上に形成することで配線基板の平坦性を改善するものである。しかし、実際的には配線基板の他方の面である実装面上に接着固定されたヒートシンクの剛性により平坦性が改善されている効果も加わっていると考えられる。
【００１４】
特許文献２は、プリント配線基板の表面層に形成するソルダーレジスト層に無機フィラーを含有してソルダーレジスト層の熱膨張係数を小さくすることで、ハンダ付け等の加熱工程においてソルダーレジスト層にクラックが生じることを防止するものである。  ところで、プリント配線基板の反りを低減する技術についてはまったく開示も示唆もない。これは、特許文献２では、基板両面にほぼ同じ形状の配線パターンを形成し、かつ基板両面に同じ厚みのソルダーレジスト層を形成していることから、プリント配線基板の反りが生じ難いことによると思われる。
【００１５】
特許文献３では、乾燥時においてレジスト層の面積を基板両面で同一にすることで、基板両面の収縮挙動を等しくして反りを小さくできる。しかし、ソルダーレジスト層を開口する加工プロセスにおいてレーザを用いることが必要となり、設備コストが高くなるだけでなく、任意の形状の開口パターンを形成することが困難となる。特に、半導体素子の下部にダイパターンを設けている場合においては、比較的広い面積の開口パターンを形成する必要が生じるが、このような開口パターンをレーザで加工することは困難である。
【００１６】
本発明は、このような課題を解決するものであり、薄い樹脂基板の両面に異なる形状の配線パターンを設ける場合にあっても、反りを小さくすることができる樹脂配線基板および、この樹脂配線基板を用いて実現する薄型、かつ小型で、しかも高信頼性の半導体装置を提供することを目的とする。
【課題を解決するための手段】
【００１７】
上記従来の課題を解決するために、本発明の樹脂配線基板は、平板状の樹脂基材と、前記樹脂基材の一方の面に設けた半導体素子搭載領域および前記半導体素子搭載領域の内側またはその周囲に配置した素子接続端子と、前記素子接続端子と電気的に接続して前記樹脂基材の他方の面上に配置した外部接続端子と、前記樹脂基材の一方の面を覆って、かつ前記素子接続端子および前記半導体素子搭載領域が露出する形状に形成した第１の樹脂膜と、前記樹脂基材の他方の面を覆って、かつ前記外部接続端子が露出する形状に形成した第２の樹脂膜とを備え、前記第１の樹脂膜と前記第２の樹脂膜とが、ガラス転移点、硬化収縮率または熱膨張係数の少なくとも１つが異なることを特徴とする。
【００１８】
上記の構成により、樹脂基材の一方の面に形成する第１の樹脂膜は半導体素子搭載領域を露出させて形成するので、樹脂基材の他方の面に形成する第２の樹脂膜の面積が第１の樹脂膜の面積よりも大きくなる。なお、外部接続端子は樹脂基材の他方の面にアレイ状に配置している。
【００１９】
しかし、第１の樹脂膜と第２の樹脂膜とのガラス転移点、硬化収縮率および熱膨張係数の少なくとも何れかを異ならせることで、例えば第１の樹脂膜のガラス転移点を第２の樹脂膜のガラス転移点より高くしたり、あるいは第１の樹脂膜の硬化収縮率を第２の樹脂膜の硬化収縮率より大きくしたり、第１の樹脂膜の熱膨張係数を第２の樹脂膜の熱膨張係数より大きくしたりすることで、硬化後でも反りの発生を小さくすることができる。
【００２０】
このため、薄い樹脂基材を用いても反りの小さな樹脂配線基板を実現できる。また、樹脂配線基板上に半導体素子を実装しても、その反りを小さくすることができる。
また、第１の樹脂膜に含むフィラーと第２の樹脂膜に含むフィラーとが無機粒子からなり、前記第１の樹脂膜に含む前記フィラー量が前記第２の樹脂膜に含む前記フィラー量より少ないことによっても、樹脂配線基板の反りを小さくすることができる。この場合において、第１の樹脂膜中のフィラーと第２の樹脂膜中のフィラーとが材質の異なる無機粒子からなるものであってもよい。さらに、第１の樹脂膜と第２の樹脂膜中の樹脂成分が、エポキシ樹脂またはポリイミド樹脂の何れかであってもよい。
【００２１】
このような構成とすることにより、ガラス転移点、硬化収縮率および熱膨張係数を比較的任意に制御することができる。例えば、第２の樹脂膜中のフィラーとして熱膨張係数の小さなシリカ粒子を用い、第１の樹脂膜中のフィラーとしてシリカ粒子より熱膨張係数の大きなアルミナ粒子を用いれば、同じ添加量であっても第２の樹脂膜の熱膨張係数を第１の樹脂膜の熱膨張係数よりも小さくできる。あるいは、フィラーの粒径や粒子の形状の異なるものを用いることによっても、熱膨張係数、ガラス転移点あるいは硬化収縮率を制御することができる。あるいは、フィラー量や材質の制御に加えて、例えば第１の樹脂膜の樹脂成分としてポリイミド樹脂を用い、第２の樹脂膜の樹脂成分としてエポキシ樹脂を用いるようにしても、ガラス転移点、硬化収縮率および熱膨張係数を制御することができる。上記の構成において、樹脂基材は、ガラスエポキシ樹脂、エポキシ樹脂、ビスマレイミド−トリアジン樹脂（ＢＴ樹脂）、アクリルブタジェンスチレン樹脂（ＡＢＳ樹脂）、ポリイミド樹脂、ポリアミド樹脂またはアクリル樹脂から選択された１種類からなる。
【００２２】
本発明の半導体装置は、上述した何れかの構成の樹脂配線基板の半導体素子搭載領域に半導体素子を搭載することにより、半導体装置としての反りの発生を抑制できる。よって、非常に薄型構成であっても、マザーボード等への実装が容易で、かつ確実に接続可能な半導体装置を実現できる。特に、樹脂配線基板の外部接続端子をアレイ状に配置するハンダボールを設けたＢＧＡ構成であっても、反りを小さくできるので実装工程を確実に、かつ信頼性よく行うことができる。
本発明の半導体装置は、上述した何れかの構成の樹脂配線基板からなる第１の樹脂配線基板と第２の樹脂配線基板とを備え、前記第１の樹脂配線基板は一方の表面の前記半導体素子搭載領域の外周領域に前記第２の樹脂配線基板と接続するための積層用接続端子を有し、前記積層用接続端子が前記第１の樹脂膜から露出し、前記第２の樹脂配線基板は前記外部接続端子を前記第１の樹脂配線基板の前記積層用接続端子に対応する位置に設けてなり、前記第１の樹脂配線基板および前記第２の樹脂配線基板のそれぞれの前記半導体素子搭載領域に半導体素子を搭載し、前記第１の樹脂配線基板の前記積層用接続端子と前記第２の樹脂配線基板の前記外部接続端子とを積層用突起電極を介して接続したことを特徴とする。
【００２３】
この構成により、樹脂配線基板に半導体素子を実装して半導体装置を構成し、この反りの発生を抑制した半導体装置を積層することで、積層構成の半導体装置を容易に、かつ信頼性よく作製できる。さらに、大規模な回路規模を有する半導体装置であっても非常に薄型構成で実現できる。しかも、マザーボード等への実装も容易で、かつ確実に接続可能な半導体装置を実現できる。
【発明の効果】
【００２４】
本発明の樹脂配線基板は、薄い樹脂基材を用いて配線パターンを形成しても反りが小さく、かつ半導体素子を実装後でも反りや捩れが生じ難くできるので、薄型形状でＢＧＡ構成の半導体装置を実現でき、かつマザーボード等への実装も確実に行えるという大きな効果を奏する。また、半導体素子を実装した樹脂配線基板を積層して構成する半導体装置においても、薄型形状を実現できるだけでなく、積層時の端子間の接続も確実に行えることから製造歩留まりがよく、かつ高信頼性を得ることができるという大きな効果を奏する。
【発明を実施するための最良の形態】
【００２５】
以下、本発明の実施の形態について図面を参照しながら説明する。なお、参照する図面において図示する部材のそれぞれの厚みや長さ等は図面作成上の理由から実際の形状と相違しており、半導体素子上の電極の個数や樹脂配線基板上の種々の端子の個数も簡略的に図示している。
（第１の実施の形態）
図１は本発明の第１の実施の形態にかかる樹脂配線基板の構成を示す図であり、（ａ）は半導体搭載領域側から見た平面図、（ｂ）は外部接続端子側から見た平面図、（ｃ）は（ａ）および（ｂ）におけるＡ−Ａ線に沿った断面図である。
【００２６】
本実施の形態において、樹脂配線基板１０は平板状の樹脂基材１２と素子接続端子１４と外部接続端子１６と第１の樹脂膜２６と第２の樹脂膜２８とを備えている。素子接続端子１４は樹脂基材１２の一方の面上に設けた半導体素子搭載領域３０および半導体素子搭載領域３０の外周領域に配置されている。外部接続端子１６は樹脂基材１２の他方の面上に配置されており、素子接続端子１４と外部接続端子１６は樹脂基材１２中に内蔵された配線パターン１８、２２と貫通導体２０およびインナービア２４により電気的に接続されている。第１の樹脂膜２６は樹脂基材１２の一方の面上に形成されており、素子接続端子１４が露出する形状をなしている。第２の樹脂膜２８は樹脂基材１２の他方の面上に形成されており、外部接続端子１６を露出する形状をなしている。本実施の形態では、外部接続端子１６は樹脂基材１２の他方の面上にアレイ状に配置されている。
【００２７】
第１の樹脂膜２６と第２の樹脂膜２８とは、ガラス転移点、硬化収縮率または熱膨張係数の少なくとも１つが異なっている。具体的には、第１の樹脂膜２６の硬化収縮率が第２の樹脂膜２８の硬化収縮率より大きく、かつ第１の樹脂膜２６の熱膨張係数が第２の樹脂膜２８の熱膨張係数より大きくなっている。
【００２８】
第１の樹脂膜２６と第２の樹脂膜２８はその樹脂成分としては同じエポキシ樹脂を用いており、第１の樹脂膜２６に含むフィラーおよび第２の樹脂膜２８に含むフィラーとして無機粒子を用いており、熱膨張係数の差を実現するために、第１の樹脂膜２６に含むフィラー量が第２の樹脂膜２８に含むフィラー量より少なく設定されている。第１の樹脂膜２６と第２の樹脂膜２８の樹脂成分としては、ポリイミド樹脂を用いてもよい。
【００２９】
本実施の形態では、樹脂基材１２としてＦＲ−４に代表されるガラスエポキシ樹脂を用いた場合について説明するが、樹脂基材１２としては、ガラスエポキシ樹脂、エポキシ樹脂、ビスマレイミド−トリアジン樹脂（ＢＴ樹脂）、アクリルブタジェンスチレン樹脂（ＡＢＳ樹脂）、ポリイミド樹脂、ポリアミド樹脂またはアクリル樹脂から選択された１種類を用いることができる。
【００３０】
樹脂基材１２はその外形が方形状をなし、その厚みは４０μｍ〜５００μｍ程度の範囲を選択することができるが、薄型の半導体装置を構成するためには２００μｍ以下とすることが好ましい。
【００３１】
樹脂基材１２の表裏両面に形成する素子接続端子１４と外部接続端子１６は、例えば以下のようにして形成する。まず、電解メッキあるいは無電解メッキまたはこれらを併用して銅（Ｃｕ）等の導体被膜を樹脂基材１２の表面に直接堆積させる。または、導体被膜として銅箔等の導体箔を接着剤で樹脂基材１２の表面に貼り合わす。導体皮膜の厚みは５μｍ〜５０μｍの範囲とすることが好ましいが、パターン加工等の面からは１５μｍ程度の厚みに設定することがより好ましい。このようにして形成した導体被膜を、例えばエッチングでパターン加工する。
【００３２】
次に、電解メッキや無電解メッキ等を用いて導体皮膜の上層にニッケル（Ｎｉ）と金（Ａｕ）の２層構成膜を形成する。これらの膜の厚みは、例えばニッケルが１μｍ〜１０μｍの範囲にあって好ましくは３μｍであり、金が０．０１μｍ〜０．１μｍの範囲にあって好ましくは０．０５μｍである。ニッケル（Ｎｉ）と金（Ａｕ）の２層構成膜は必須ではなく、例えば樹脂配線基板に半導体素子をハンダ付けにより実装するような場合には形成しなくてもよい。
【００３３】
次に、樹脂基材１２の一方の面に第１の樹脂膜２６を、他方の面に第２の樹脂膜２８をそれぞれ形成する。これらの膜の厚みは５μｍから７０μｍの範囲に設定しており、パターン加工性等から１５μｍ〜４０μｍ程度に設定することがより好ましい。
【００３４】
第１の樹脂膜２６と第２の樹脂膜２８について以下に説明する。本実施の形態では、第１の樹脂膜２６と第２の樹脂膜２８はともに、その樹脂成分としてエポキシ樹脂を用いており、フィラーとしてシリカ粒子を用いている。
【００３５】
このフィラーの添加量は第１の樹脂膜２６が５重量％〜１０重量％であり、第２の樹脂膜２８が３０重量％〜５０重量％である。フィラーであるシリカ粒子を多く添加するほどに熱膨張係数と硬化収縮率は小さくできる。しかし、フィラーの添加量が５０重量％を超えると紫外線照射による解像度が低下する。このため、本実施の形態において、第２の樹脂膜２８はフィラーの添加量を最大５０重量％に設定している。
【００３６】
このように、第１の樹脂膜２６と第２の樹脂膜２８に含むフィラーの添加量を異ならせることで、第１の樹脂膜２６の熱膨張係数と硬化収縮率に比べて第２の樹脂膜２８の熱膨張係数と硬化収縮率を小さくできる。さらに、シリカ粒子からなるフィラーを比較的大量に添加することで、第２の樹脂膜２８は吸水性が小さくなる。
【００３７】
なお、第２の樹脂膜２８は、図示するように比較的単純なパターンであり、かつ外部接続端子１６のピッチも大きいので、例えばスクリーン印刷方式により形成してもよい。このスクリーン印刷方式の場合には、露光プロセスとエッチングプロセスによるパターン加工は不要であるのでフィラーの添加量を９０重量％程度にまで高めることが可能であり、そのため熱膨張係数と硬化収縮率を小さくできる。
【００３８】
また、フィラーはシリカ粒子に限定されるものではなく、珪酸アルミニウム粒子、酸化チタン粒子、酸化アルミニウム粒子、酸化ジルコニウム粒子等の無機材料であって、かつ絶縁性を有する材料であれば特に制約はなくフィラーとして使用可能である。さらに、第１の樹脂膜２６に添加するフィラーと第２の樹脂膜２８に添加するフィラーとの材質が異なるものであってもよい。
【００３９】
図１に示すように、本実施の形態の樹脂配線基板１０は第２の樹脂膜２８の形成面積が第１の樹脂膜２６の形成面積よりも大きいが、第２の樹脂膜２８の熱膨張係数および硬化収縮率は第１の樹脂膜２６の熱膨張係数よりも小さく設定しているので、硬化後でも反りの発生を小さくすることができる。
【００４０】
図２は、本実施の形態の樹脂配線基板１０を用いて作製した半導体装置４０の構成を示す断面図である。この半導体装置４０は、樹脂配線基板１０と、樹脂配線基板１０の一方の面をなす半導体素子搭載領域３０に搭載した半導体素子４２と、外部接続端子１６上に設けた接続用突起電極４９とを有するＢＧＡ構成からなる。外部接続端子１６は樹脂基材１２の他方の面上にアレイ状に配置しており、各外部接続端子１６に接続用突起電極４９を設けている。なお、接続用突起電極４９としては、例えばハンダボールを用いることができる。
【００４１】
半導体素子４２は電極端子４４の上に突起電極４６を形成しており、突起電極４６を介して電極端子４４が樹脂配線基板１０の接続端子１４に接続している。さらに半導体素子４２は封止樹脂４８により樹脂配線基板１０に接着している。
【００４２】
この構成により、外部接続端子１６に接続用突起電極４９を接続した状態でも、半導体装置４０としての全体の反りを小さくすることができる。しがって、マザーボード等の回路基板に半導体装置４０を実装するときでも接続不良を確実に防止できる。この結果、接続部の不良発生が生じ難く、高信頼性の半導体装置４０を実現できる。
【００４３】
このような反りの低減効果について検討した結果について、以下説明する。
実験例１として、第１の樹脂膜２６のフィラーの添加量を５重量％〜１０重量％とし、第２の樹脂膜２８のフィラーの添加量を３０重量％〜５０重量％とした樹脂配線基板１０を作製した。
【００４４】
比較例１として、第１の樹脂膜および第２の樹脂膜ともにフィラーの添加量を３０重量％〜５０重量％とした樹脂配線基板を作製した。
比較例２として、第１の樹脂膜および第２の樹脂膜ともにフィラーの添加量を５重量％〜１０重量％とした樹脂配線基板を作製した。
【００４５】
これらの３種類の試料についてハンダ付け温度による加熱を行い、生じた反り量を測定した。そして、マザーボードへ実装が可能な所定の反り量を基準値として各試料の測定値を判定し、反り量が基準値よりも大きい樹脂配線基板を不良品として良品率を求めた。なお、実験例１、比較例１、比較例２の試料数はそれぞれ２５個とした。
【００４６】
上述した実験の結果において、実験例１については良品率が１００％であった。一方、比較例１では平均的な反り量はやや小さくなったが、良品率は７５％であった。また、比較例２では平均的な反り量は大きく、良品率は３６％であった。これらの結果から、本発明の構成とすることにより樹脂配線基板の反り量を小さくでき、マザーボードへの実装が信頼性よくできることが見出された。
【００４７】
なお、熱膨張係数、硬化収縮率およびガラス転移点を制御することは、フィラーの添加量のみでなく、異なる材質のフィラーをそれぞれ添加することや、異なる樹脂成分をそれぞれ用いることでもできるので、樹脂配線基板の構成に合わせて第１の樹脂膜と第２の樹脂膜の特性を設定すれば反り量を小さくすることができる。
【００４８】
例えば、第１の樹脂膜の樹脂成分としてポリイミド樹脂を用い、第２の樹脂膜の樹脂成分としてエポキシ樹脂を用いるようにしてもよいし、この逆にしてもよい。また、第１の樹脂膜に添加するフィラーとしてアルミナ粒子を用い、第２の樹脂膜に添加するフィラーとしてシリカ粒子を用いてもよい。
【００４９】
つぎに、上記樹脂配線基板１０を用いてＢＧＡ構成の半導体装置４０を作製する製造工程について、図３を用いて説明する。図３は、本実施の形態の樹脂配線基板を用いて半導体装置を作成する工程を説明する図である。
【００５０】
最初に、図３（ａ）に示すように、図１で説明したものと同様の樹脂配線基板１０を準備する。この樹脂配線基板１０は、例えば以下のようにして作製する。
すなわち、配線パターン２２およびインナービア２４が形成されている樹脂基材１２の両面に銅箔を貼り付ける。樹脂基材１２の厚みは、４０μｍ〜４００μｍの範囲であり、より望ましくは２００μｍ程度とする。その後、貫通導体２０の形成と銅箔の貼り付けおよび銅箔のエッチング加工、さらには必要な箇所に金メッキ等を施すことで、樹脂配線基板１０を作製する。
【００５１】
なお、貫通導体２０は、例えばドリル法あるいはレーザ照射等により樹脂基材１２に貫通孔を設けた後、メッキ導体等で導通をとって形成する。このメッキ導体は単層構成、２層構成、３層構成等にすることができる。例えば、単層構成は電解メッキ法あるいは無電解メッキ法により厚みが５μｍ〜５０μｍ、好ましくは２０μｍの銅（Ｃｕ）や金（Ａｕ）の単層を形成したものであり、２層構成は銅（Ｃｕ）／ニッケル（Ｎｉ）の２層を堆積させてなり、３層構成は金（Ａｕ）／銅（Ｃｕ）／ニッケル（Ｎｉ）の３層を堆積させて形成する。
【００５２】
上述したようにして素子接続端子１４、配線パターン１８および外部接続端子１６等を形成した後に、樹脂基材１２の一方の面に第１の樹脂膜２６を、他方の面に第２の樹脂膜２８をそれぞれ形成する。
【００５３】
第１の樹脂膜２６および第２の樹脂膜２８は、例えばスクリーン印刷方式により形成してもよいし、あるいは樹脂基材１２の全面に液状樹脂を塗布した後、露光プロセスとエッチングプロセスとを用いて所定の形状に加工する方法としてもよい。なお、第１の樹脂膜２６は露光プロセスとエッチング加工プロセスとで行うことが好ましい。一方、第２の樹脂膜２８は露光プロセスとエッチング加工プロセスとを用いて加工してもよいが、スクリーン印刷方式で行うこともできる。スクリーン印刷方式の場合には、工程が簡略となるだけでなく感光性を有さない樹脂材料でも用いることができるので、第２の樹脂膜２８の選択の自由度を大きくすることができる。
【００５４】
次に、図３（ｂ）に示すように、半導体素子４２を樹脂配線基板１０の半導体素子搭載領域３０に搭載し、突起電極４６を介して電極端子４４と接続端子１４とを接続する。この接続は例えば以下の手順で行う。
【００５５】
メタルマスクを用いた印刷により接続端子１４の所定位置にハンダペースト（図示せず）を形成し、このハンダペースト上に半導体素子４２の電極端子４４の突起電極４６を仮固定する。
【００５６】
この後、例えばリフロー炉により樹脂配線基板１０を加熱してハンダペーストを溶融させることにより、突起電極４６とハンダペーストとを介して電極端子４４と接続端子１４との間の電気的および機械的接続を行う。リフロー炉による加熱温度は使用するハンダペーストの材質により異なる。例えばハンダペーストが銀（Ａｇ）−銅（Ｃｕ）−スズ（Ｓｎ）系の場合には約２４０℃程度に加熱することが要求される。
【００５７】
電極端子４４の突起電極４６と接続端子１４との接続は上記方法に限定されるものではなく、他の接合方法として以下のような方法を用いてもよい。例えば、突起電極４６上に銀（Ａｇ）フィラーを含む導電性樹脂ペーストを塗布し、突起電極４６を樹脂配線基板１０の接続端子１４に接触させた状態で１７０℃〜２００℃の範囲の温度で加熱硬化させて接続する。
【００５８】
次に、図３（ｃ）に示すように、樹脂配線基板１０の樹脂基材１２と半導体素子４２との間の隙間に封止樹脂４８を注入して加熱硬化させる。この封止樹脂４８は例えば主剤がエポキシ樹脂からなり、少なくとも硬化剤、硬化収縮率調整剤が配合された液状樹脂であり、その粘度は樹脂基材１２と半導体素子４２との間の隙間に注入可能な程度の低粘度である。
【００５９】
この液状樹脂は１６０℃〜２１０℃の温度範囲、好ましくは１８０℃程度の温度で加熱硬化させる。硬化時間は硬化装置の形状等により適宜設定すればよい。
次に、図３（ｄ）に示すように、樹脂基材１２の他方の表面に形成されている外部接続端子１６上に、例えばスズ（Ｓｎ）−銀（Ａｇ）−銅（Ｃｕ）系合金からなる接続用突起電極４９を載置する。その後、約２４０℃の温度に加熱して外部接続端子１６に接続用突起電極４９を接合する。これにより、本実施の形態のＢＧＡ構成からなる半導体装置４０が実現する。
（第２の実施の形態）
図４は、本発明の第２の実施の形態における樹脂配線基板５０の構成を示す図であり、（ａ）は半導体素子搭載側から見た平面図、（ｂ）は（ａ）におけるＢ−Ｂ線に沿った断面図である。
【００６０】
この樹脂配線基板５０は半導体素子（図示省略）をワイヤボンディング実装する場合の構成である。樹脂基材６２の一方の面には素子接続端子６４と配線パターン６８およびダイパターン７０を形成しており、素子接続端子６４およびダイパターン７０の所定の箇所を露出させ、かつその他の領域を覆って第１の樹脂膜７４が形成されている。
【００６１】
また、樹脂基材６２の他方の面には外部接続端子６６を形成しており、外部接続端子６６を露出させ、かつその他の領域を覆って第２の樹脂膜７６が形成されている。樹脂基材６２の所定箇所には外部接続端子６６と配線パターン６８を電気的に接続する貫通導体７２を設けており、素子接続端子６４と外部接続端子６６が配線パターン６８および貫通導体７２を介して電気的に接続している。
【００６２】
ここで、第１の樹脂膜７４と第２の樹脂膜７６は、第１の実施の形態の樹脂配線基板１０で説明した材料と同様のものにより形成されている。したがって、本実施の形態の樹脂配線基板５０においても、第２の樹脂膜７６の熱膨張係数と硬化収縮率が第１の樹脂膜の熱膨張係数と硬化収縮率よりも小さく設定されている。
【００６３】
また、図４に示すように、第２の樹脂膜７６の面積は第１の樹脂膜７４の面積よりも大きいが、第２の樹脂膜２８の熱膨張係数および硬化収縮率は第１の樹脂膜２６の熱膨張係数よりも小さいので、硬化後における反りの発生を小さくすることができる。
【００６４】
図５は、この樹脂配線基板５０を用いて構成した半導体装置８０を示す図であり、（ａ）は半導体素子側からみた平面図、（ｂ）は（ａ）におけるＢ−Ｂ線に沿った断面図である。
【００６５】
半導体素子８２は樹脂配線基板５０のダイパターン７０上に導電性接着剤８８を用いて接着しており、半導体素子８２の電極端子８４は樹脂配線基板５０の素子接続端子６４に金属細線８６で接続している。封止樹脂９０は半導体素子８２および金属細線８６を覆って形成している。樹脂配線基板５０の外部接続端子６６上には接続用突起電極９２を形成しており、接続用突起電極９２は、例えばハンダボールからなる。この接続用突起電極９２によりマザーボードへ半田リフロー実装する。
【００６６】
この第２の実施の形態の樹脂配線基板５０を用いた半導体装置８０においても、樹脂配線基板５０のそれ自体の反りが小さいことから半導体素子８２の接着固定が容易に行える。半導体素子８２の実装後に封止樹脂９０を形成した状態でも、全体の反りを小さく押えることができる。
（第３の実施の形態）
図６および図７は本発明の第３の実施の形態にかかる樹脂配線基板の構成を示すものであり、主として積層構成の半導体装置を構成するためのものである。図６（ａ）および図７（ａ）は半導体素子搭載側から見た平面図、図６（ｂ）は図６（ａ）におけるＣ−Ｃ線に沿った断面図、図７（ｂ）は図７（ａ）におけるＤ−Ｄ線に沿った断面図である。
【００６７】
以下においては、図６に示す樹脂配線基板を第１の樹脂配線基板１００と呼び、図７に示す樹脂配線基板を第２の樹脂配線基板１３０と呼ぶ。
図６に示すように、第１の樹脂配線基板１００は、平板状の樹脂基材１０２と、樹脂基材１０２の一方の面上に設けた半導体素子搭載領域１２２の内側に配置した素子接続端子１０４と、素子接続端子１０４と電気的に接続して樹脂基材１０２の他方の面上にアレイ状に配置した外部接続端子１１０と、樹脂基材１０２の一方の面を覆って、かつ素子接続端子１０４、配線パターン１０６、積層用接続端子１０８を露出させて形成した第１の樹脂膜１１８と、他方の面上において外部接続端子１１０を露出させて、かつ他の領域を覆って形成した第２の樹脂膜１２０とを備えている。
【００６８】
樹脂基材１０２の一方の面上に形成した配線パターン１０６と素子接続端子１０４とは、樹脂基材１０２の中に内蔵した配線パターン１１４およびインナービア１１６により電気的に接続しており、素子接続端子１０４と外部接続端子１１０とは樹脂基材１０２の所定箇所に設けた貫通導体１１２により電気的に接続している。さらに、必要に応じて樹脂基材１０２の他方の面上にも配線パターンが形成する場合がある。
【００６９】
積層用接続端子１０８は樹脂配線基板１００の半導体素子搭載領域１２２の外周領域に設けており、第２の樹脂配線基板１３０と接続するためのものである。
第１の樹脂膜１１８と第２の樹脂膜１２０とは、ガラス転移点、硬化収縮率および熱膨張係数の少なくとも何れかが異なる材料からなる。ここでは、第１の樹脂膜１１８の硬化収縮率を第２の樹脂膜１２０の硬化収縮率より大きく、かつ第１の樹脂膜１１８の熱膨張係数を第２の樹脂膜１２０の熱膨張係数より大きく設定している。
【００７０】
このために、第１の樹脂膜１１８に含むフィラーと第２の樹脂膜１２０に含むフィラーとして無機粒子を用いており、第１の樹脂膜１１８に含むフィラー量は第２の樹脂膜１２０に含むフィラー量より少なく設定している。なお、本実施の形態では、第１の樹脂膜１１８の樹脂成分がエポキシ樹脂からなり、第２の樹脂膜１２０の樹脂成分がポリイミド樹脂からなる。
【００７１】
本実施の形態の樹脂基材１０２としては多層配線の回路基板等に多用されているガラスエポキシ樹脂を用いているが、他のエポキシ樹脂、ビスマレイミド−トリアジン樹脂（ＢＴ樹脂）、アクリルブタジェンスチレン樹脂（ＡＢＳ樹脂）、ポリイミド樹脂、ポリアミド樹脂およびアクリル樹脂から選択された１種類を用いることもできる。
【００７２】
図７に示すように、第２の樹脂配線基板１３０はその基本的構成が図６に示す第１の樹脂配線基板１００と同じである。第２の樹脂配線基板１３０は樹脂基材１３２の一方の面に素子接続端子１３４と配線パターン１３６が形成されており、配線パターン１３６が樹脂基材１３２の他方の面に形成した外部接続端子１４０と貫通導体１４２で電気的に接続している。
【００７３】
第２の樹脂配線基板１３０には半導体素子（図示省略）を搭載する領域にダイパターン１３８を形成しており、このダイパターン１３８と素子接続端子１３４との所定の箇所を露出させて、かつ他の領域を覆って第１の樹脂膜１４４を形成している。第２の樹脂配線基板１３０では、ダイパターン１３８が形成されている領域とその近傍領域とが半導体素子搭載領域である。
【００７４】
樹脂基材１３２の他方の面には外部接続端子１４０を形成しており、上述したように外部接続端子１４０と素子接続端子１３４とは配線パターン１３６および貫通導体１４２を介して電気的に接続している。樹脂基材１３２の他方の面には外部接続端子１４０の所定の箇所を露出させて、かつ他の領域を覆って第２の樹脂膜１４６を形成している。第１の樹脂膜１４４および第２の樹脂膜１４６の材料および作製法については、第１の樹脂配線基板１００と同じであるので説明を省略する。
【００７５】
この第２の樹脂配線基板１３０の外部接続端子１４０は、第１の樹脂配線基板１００の積層用接続端子１０８に対応する位置に設けられている。すなわち、第１の樹脂配線基板１００の外部接続端子１１０はアレイ状に配置されているが、第２の樹脂配線基板１３０の外部接続端子１３８は樹脂基材１３２の外周領域にのみ形成されている。
【００７６】
このような構成からなる第１の樹脂配線基板１００および第２の樹脂配線基板１３０であっても、第１の樹脂膜１１８、１４４に比べて第２の樹脂膜１２０、１４６の熱膨張係数および硬化収縮率のほうが小さいので、反りを小さくできる。
【００７７】
図８は第１の樹脂配線基板１００を用いて構成した半導体装置を示す図であり、図８（ａ）は半導体素子搭載側から見た平面図、図８（ｂ）は図８（ａ）におけるＥ−Ｅ線に沿った断面図である。図９は第２の樹脂配線基板１３０を用いて構成した半導体装置を示す図であり、図９（ａ）は半導体素子搭載側から見た平面図、図９（ｂ）は図９（ａ）におけるＦ−Ｆ線に沿った断面図である。
【００７８】
以下において、図８に示す半導体装置を第１の半導体装置１５０と呼び、図９に示す半導体装置を第２の半導体装置１６０と呼ぶ。
図８に示すように、第１の半導体装置１５０は第１の樹脂配線基板１００の半導体素子搭載領域１２２上に搭載した半導体素子１５２を封止樹脂１５８により第１の樹脂配線基板１００に接着している。半導体素子１５２は電極端子１５４上に突起電極１５６を形成しており、電極端子１５４が突起電極１５６を介して第１の樹脂配線基板１００の素子接続端子１０４に接続している。
【００７９】
第１の半導体装置１５０は上述した状態で使用することも可能である。その場合には、外部接続端子１１０に接続用突起電極４９として、例えばハンダボールを接合し、ＢＧＡ構成の第１の半導体装置１５０として用いる。
【００８０】
第１の半導体装置１５０は反りの小さい第１の樹脂配線基板１００を用いて上述した構成とすることにより、半導体装置１５０としての全体の反りを小さくすることができる。したがって、マザーボード等の回路基板に半導体装置１５０を実装するときでも接続不良の発生を確実に防止できる。さらに、後述するように積層構成の半導体装置を実現する場合にも、実装工程が容易で、かつ信頼性に優れたものとすることができる。
【００８１】
図９に示すように、第２の半導体装置１６０は第２の樹脂配線基板１３０のダイパターン１３８上に搭載した半導体素子１６２を導電性接着剤１６８により第２の樹脂配線基板１３０に接着している。半導体素子１６２は電極端子１６４が第２の樹脂配線基板１３０の素子接続端子１３４に金属細線１６６で接続している。第２の半導体装置１６０は半導体素子１６２および金属細線１６６を覆って封止樹脂を形成するが、図９において封止樹脂は図示していない。
【００８２】
このような構成の第２の半導体装置１６０においても、第２の樹脂配線基板１３０の反りが小さいことから半導体素子１６２の接着固定が容易に行える。また、半導体素子１６２を搭載してワイヤボンディング等の実装工程後に封止樹脂を形成した状態においても、全体の反りを小さく押えることができる。したがって、マザーボード等への実装が容易な薄型構成の半導体装置を実現できる。
【００８３】
図１０は、第１の半導体装置１５０と第２の半導体装置１６０とを積層して構成した半導体装置１７０の断面図である。
図１０に示すように、半導体装置１７０は、第１の半導体装置１５０上に第２の半導体装置１６０を搭載し、第１の半導体装置１５０の第１の樹脂配線基板１００に設けられた積層用接続端子１０８と第２の半導体装置１６０の第２の樹脂配線基板１３０の外部接続端子１４０とを積層用突起電極１７４を介して接続した構成からなる。積層用突起電極１７４は、例えばハンダバンプや表面にハンダ被膜を形成した金属柱や金属球等を用いることができる。
【００８４】
このような積層構成においても、第１の半導体装置１５０および第２の半導体装置１６０の反りが小さいため、積層用突起電極１７４を介して接続する場合に接続不良が生じ難く、高信頼性で、かつ高歩留まりの半導体装置を実現できる。さらに、第１の樹脂配線基板１００および第２の樹脂配線基板１３０を非常に薄型にすることで、積層した構成であっても全体として非常に薄型とすることができる。なお、このように第１の半導体装置１５０と第２の半導体装置１６０とをそれぞれ作製した後に積層する場合には、それぞれ個別に電気的検査等を行うことができるので歩留まりのよい積層型の半導体装置を作製できる。
【産業上の利用可能性】
【００８５】
本発明にかかる樹脂配線基板は、構成部材間の熱膨張係数の違いから生じる反りを樹脂基材の表裏面にそれぞれ形成する樹脂膜の特性をかえることで吸収することができるので、薄型構成で、かつ全体として反りの小さな樹脂配線基板および半導体装置を実現でき、特に携帯用電子機器分野に有用である。
【図面の簡単な説明】
【００８６】
【図１】本発明の第１の実施の形態にかかる樹脂配線基板の構成を示す図であり、（ａ）は半導体搭載領域側から見た平面図、（ｂ）は外部接続端子側から見た平面図、（ｃ）は（ａ）および（ｂ）のＡ−Ａ線に沿った断面図
【図２】第１の実施の形態の樹脂配線基板を用いて作製した半導体装置の構成を示す断面図
【図３】（ａ）〜（ｄ）は第１の実施の形態の樹脂配線基板を用いて半導体装置を作成する工程を説明する図
【図４】第２の実施の形態の樹脂配線基板の構成を示す図であり、（ａ）は半導体素子搭載側から見た平面図、（ｂ）は（ａ）のＢ−Ｂ線に沿った断面図
【図５】第２の実施の形態の樹脂配線基板を用いて構成した半導体装置を示す図であり、（ａ）は半導体素子側からみた平面図、（ｂ）は（ａ）のＢ−Ｂ線に沿った断面図
【図６】本発明の第３の実施の形態にかかる第１の樹脂配線基板の構成を示す図であり、（ａ）は半導体素子搭載側から見た平面図、（ｂ）は（ａ）のＣ−Ｃ線に沿った断面図
【図７】本発明の第３の実施の形態にかかる第２の樹脂配線基板の構成を示す図であり、（ａ）は半導体素子搭載側から見た平面図、（ｂ）は（ａ）のＤ−Ｄ線に沿った断面図
【図８】本発明の第３の実施の形態において第１の樹脂配線基板を用いて構成した半導体装置を示す図であり、（ａ）は半導体素子搭載側から見た平面図、（ｂ）は（ａ）のＥ−Ｅ線に沿った断面図
【図９】本発明の第３の実施の形態において第２の樹脂配線基板を用いて構成した半導体装置を示す図であり、（ａ）は半導体素子搭載側から見た平面図、（ｂ）は（ａ）のＦ−Ｆ線に沿った断面図
【図１０】第３の実施の形態において、第１の半導体装置と第２の半導体装置とを積層して構成した半導体装置の断面図
【符号の説明】
【００８７】
１０，５０    樹脂配線基板
１２，６２，１０２，１３２    樹脂基材
１４，６４，１０４，１３４    素子接続端子
１６，６６，１１０，１４０    外部接続端子
１８，２２，６８，１０６，１１４，１３６    配線パターン
２０，７２，１１２，１４２    貫通導体
２４，１１６    インナービア
２６，７４，１１８，１４４    第１の樹脂膜
２８，７６，１２０，１４６    第２の樹脂膜
３０，１２２    半導体素子搭載領域
４０，８０，１７０    半導体装置
４２，８２，１５２，１６２    半導体素子
４４，８４，１５４，１６４    電極端子
４６，１５６    突起電極
４８，１５８    封止樹脂
４９，９２    接続用突起電極
７０，１３８    ダイパターン
８６，１６６    金属細線
８８，１６８    導電性接着剤
９０    封止樹脂
１００    第１の樹脂配線基板（樹脂配線基板）
１０８    積層用接続端子
１３０    第２の樹脂配線基板（樹脂配線基板）
１５０    第１の半導体装置（半導体装置）
１６０    第２の半導体装置（半導体装置）
１７４    積層用突起電極
【図１】
2008085089.tif 000003
【図２】
2008085089.tif 000004
【図３】
2008085089.tif 000005
【図４】
2008085089.tif 000006
【図５】
2008085089.tif 000007
【図６】
2008085089.tif 000008
【図７】
2008085089.tif 000009
【図８】
2008085089.tif 000010
【図９】
2008085089.tif 000011
【図１０】
2008085089.tif 000012